(57)【要約】【課題】  径の異なるキャップに対応する複数の係合孔を形成し、キャップ径に合致する係合孔を選択嵌合させて、操作部材を回転させることによって、確実、かつ容易に開封できるようにしたキャップ開封器具を提供すること。【解決手段】  キャップ開封器具として、操作部材とキャップ係合部材とからなるキャップ開封器具であって、操作部材は、回転操作筒と係合筒とを具備しており、キャップ係合部材は、内周面に複数のキャップ係合孔を設けた係合筒と、操作部材の係合筒外周面に係合する嵌挿筒とを具備しており、操作部材の係合筒と、キャップ係合部材の嵌挿筒とを摺動可能、かつ廻動不能として係合させたことを特徴とする。【選択図】  図１
2006306456.tif 000002
【特許請求の範囲】
【請求項１】
操作部材とキャップ係合部材とからなるキャップ開封器具であって、
操作部材は、回転操作筒と係合筒とを具備しており、
キャップ係合部材は、内周面に複数のキャップ係合孔を設けた係合筒と、操作部材の係合筒外周面に係合する嵌挿筒とを具備しており、
操作部材の係合筒と、キャップ係合部材の嵌挿筒とを摺動可能、かつ廻動不能として係合させたことを特徴とするキャップ開封器具。
【請求項２】
操作部材とキャップ係合部材とからなるキャップ開封器具であって、
操作部材は、上端に上壁を具え、内周面に大径キャップ係合孔を設け、外周面に突条または凹条を設けた係合筒と、嵌挿筒と、嵌挿筒に連結壁を介して連設された回転操作筒とを具えており、  
キャップ係合部材は、内周に小径、中径、最小径のキャップ係合孔を設け、下端外周に係止突条を設けた係合筒と、上壁、および内周面に前記突条または凹条に係合する凹条または突条を設けた嵌挿筒とを具えていることを特徴とするキャップ開封器具。
【請求項３】
操作部材の係合筒の上壁の内端下面に凹部を設け、
キャップ係合部材の係合筒の上端に、上記凹部に係合する凸部を設けて、前記上壁を定位置に係止するようにしたことを特徴とする請求項２記載のキャップ開封器具。
【発明の詳細な説明】
【技術分野】
【０００１】
本発明は、ボトル口部のキャップなどの開封器具に関するものである。
【背景技術】
【０００２】
ボトル口部に強固に螺着したキャップを、簡単に、しかも大きさの異なるキャップに対応して開封することができるように、ボトル口部のキャップを把持して、回転させて開封する開封器具は従来より知られている（特許文献１参照）。
【０００３】
上記特許文献１記載の開封器具は、可動部（１５）を本体（１０）に対し進退自在に設け、この本体（１０）には異なる径のキャップ（円柱形蓋（１１））が挿入可能となる円弧状溝部（１２）を形成し、可動部（１５）には弧状部（１４）を設け、この円弧状溝部（１２）と弧状部（１４）により各種容器のキャップ（円柱形蓋（１１））を把持して回せるようにしている。
【特許文献１】実開平７−３３８９７号公報
【発明の開示】
【発明が解決しようとする課題】
【０００４】
しかしながら、上記特許文献１記載の開封器具では、本体と可動部を手指で挟持してキャップを把持するため、把持力が人によって異なり、ボトルを固定しキャップを把持して回転させる際に、把持力の弱い人ではキャップを回転させられないという問題があった。
また、開封器具を一定角度回転させると、キャップの把持を外し、再度キャップを把持し直さなければならず、操作性がよくないという問題があった。
【０００５】
本発明は、上記問題を解決することを課題として、径の異なるキャップに対応する複数の係合孔を形成し、キャップ径に合致する係合孔を選択嵌合させて、操作部材を回転させることによって、確実、かつ容易に開封できるようにしたキャップ開封器具を提供することを目的とする。
【課題を解決するための手段】
【０００６】
本発明は、上記の課題を解決するため、キャップ開封器具として、操作部材とキャップ係合部材とからなるキャップ開封器具であって、操作部材は、回転操作筒と係合筒とを具備しており、キャップ係合部材は、内周面に複数のキャップ係合孔を設けた係合筒と、操作部材の係合筒外周面に係合する嵌挿筒とを具備しており、操作部材の係合筒と、キャップ係合部材の嵌挿筒とを摺動可能、かつ廻動不能として係合させたことを特徴とする構成を採用する。
【０００７】
キャップ開封器具の具体的実施例として、操作部材とキャップ係合部材とからなるキャップ開封器具であって、操作部材は、上端に上壁を具え、内周面に大径キャップ係合孔を設け、外周面に突条または凹条を設けた係合筒と、嵌挿筒と、嵌挿筒に連結壁を介して連設された回転操作筒とを具えており、キャップ係合部材は、内周に小径、中径、最小径のキャップ係合孔を設け、下端外周に係止突条を設けた係合筒と、上壁、および内周面に前記突条または凹条に係合する凹条または突条を設けた嵌挿筒とを具えていることを特徴とする構成を採用する。
【０００８】
操作部材とキャップ係合手段の位置決め係止のために、操作部材の係合筒の上壁の内端下面に凹部を設け、キャップ係合部材の係合筒の上端に、上記凹部に係合する凸部を設けて、前記上壁を定位置に係止するようにしたことを特徴とする構成を採用する。
【発明の効果】
【０００９】
回転操作筒を設けた操作部材と、複数のキャップ係合孔を設けたキャップ係合部材を、相互に廻動不能、摺動可能として結合しているので、キャップ径、または形状に対応するキャップ係合孔を選択してキャップに嵌挿し、回転操作筒を廻動することによって、簡単にスムーズに開封することができる。
キャップ係合孔として、大径、中径、小径、最小径の係合孔を具えるようにしたから、一つの開封器具で、４種の径の異なるキャップに対応できるようになった。
【００１０】
また、部品が、操作部材とキャップ係合部材だけで、操作部材の外形が円筒形であり、キャップ係合部材は操作部材の内部に装入できるので、開封器具全体がコンパクトとなり、保管、持ち運びに便利となった。
【発明を実施するための最良の形態】
【００１１】
次に、本発明のキャップの開封器具について、図面を参照して説明する。
図１、２において、Ａは操作部材、Ｂは各種キャップに係合するキャップ係合部材である。
操作部材Ａは、嵌挿筒１と、該嵌挿筒１の外側に連結壁２を介して連設された回転操作筒３と、嵌挿筒１に下壁４を介して連設された係合筒５とを具えている。
【００１２】
回転操作筒３の表面には、一定間隔をおいて、滑り止め用の突条６が設けられている。
係合筒５は、内周面を大径キャップ係合孔７とし、一定間隔をおいて、複数の突条８が設けられており、外周面には、複数の突条９または凹条が設けられている。
係合筒５の上端は、内方に延びる上壁１０が連設されており、上壁１０の下面内端には、複数の凹部１１が設けられている。
【００１３】
キャップ係合部材Ｂは、係合筒１２と、上壁１３、および該上壁１３の周縁から垂下する嵌挿筒１４とを具えている。
係合筒１２は、内面をキャップ係合孔として、上方に小径キャップ係合孔１５、中間部に最小径キャップ係合孔１６、下方に中径キャップ係合孔１７を形成しており、最小径キャップ係合孔１６の上下面で、上下を区分するようにしている。
【００１４】
係合筒１２の外周面は、操作部材Ａの上壁１０が嵌合されるようになっており、上部には、上壁１０の凹部１１に係合して、上壁１０を上壁１３に接合するように位置決めするがたつき防止用の凸部１８が設けられ、下端部には、上壁１０に係合し、操作部材Ａからの抜け出しを防止する係止突条１９が設けられている。
【００１５】
嵌挿筒１４は、内周面に操作部材Ａの係合筒５外周面の突条９または凹条に係合する凹条２０または突条が設けられており、外周面は嵌挿筒１の内周面に摺設し、挿入時に、嵌挿筒１４下端が下壁４上面に接合するだけの長さとなっている。
【００１６】
次に、本発明開封器具の使用形態と作用効果について説明する。
キャップ開封器具は、４種の径、或いは形状の異なるキャップに対応して使用することができる。
始めに、大径キャップを開封する場合について述べると、図３に示すように、キャップ係合部材Ｂを持って、操作部材Ａを下方にずらす。
その際、操作部材Ａの係合筒５は、その上壁１０が係止突条１９に係止されるまで下降させることができる。
【００１７】
次に、図４（ａ）に示すように、対応する大径キャップＣ１に、大径キャップ係合孔７を嵌合させ、回転操作筒３を廻動させると、大径キャップＣ１を開封することができる。
【００１８】
中径、或いは最小径のキャップを開封する場合は、キャップ係合部材Ｂに操作部材Ａを嵌挿、押込み、操作部材Ａの係合筒５の上壁１０を、キャップ係合部材Ｂの上壁１３に接合する。
【００１９】
その際、凸部１８が上壁１０の凹部１１に係合して、妄動を防止する。
そして、係合筒５外周面の突条９と、嵌挿筒１４内周面の凹条２０とが係合し、操作部材Ａとキャップ係合部材Ｂは相互に廻動不能として結合される。
【００２０】
中径キャップを開封する場合には、図４（ｂ）に示すように、中径キャップ係合孔１７を中径キャップＣ２に嵌挿し、回転操作筒３を手で把持して回転させると、中径キャップＣ２を開封することができる。
【００２１】
最小径キャップを開封する場合には、図４（ｃ）に示すように、最小径キャップ係合孔１６を最小径キャップＣ３に嵌挿し、回転操作筒３を手で把持して回転させると、最小径キャップＣ３を開封することができる。
【００２２】
小径キャップを開封する場合には、図４（ｄ）に示すように、開封器具を上下ひっくり返して小径キャップ係合孔１５を小径キャップＣ４に嵌挿し、回転操作筒３を手で把持して回転させると、小径キャップＣ４を開封することができる。
【００２３】
中径キャップＣ２、小径キャップＣ４の開封にあたっては、キャップの頂面が、最小径キャップ係合孔１６の上下側面に衝接して係止される。
また、キャップ開封には、回転操作筒３を把持して回転させるので、常に、一定の回転モーメントによって廻動させることができ、また、キャップ側壁面と、各係合孔との間に滑りがなく、位置関係も固定されるので、開封操作はスムーズに行われる。
【００２４】
操作部材Ａとキャップ係合部材Ｂは、係合筒５の上壁１０と、係合筒１２の係止突条１９との衝接によって取外しができなくなり、本発明の開封治具は、４種の径、或いは形状の異なるキャップに対応するキャップ係合孔を設けた開封器具を得ることができた。
【００２５】
前記実施形態では、大径キャップ係合孔７は円形とし、内周面に突条８を設け、中径キャップ係合孔１７、最小径キャップ係合孔１６、小径キャップ係合孔１５を八角形としたが、それぞれのキャップ係合孔の形状は、円形、多角形のいずれでもよく、実施形態の形状に限定されない。
【００２６】
また、前記実施形態では、操作部材の係合筒５の外周面に突条または凹条を設け、キャップ係合部材の嵌挿筒１４の内周面に凹条または突条を設けたが、操作部材とキャップ係合部材が相互に廻動不能、かつ摺動可能として結合できるものであればよく、それぞれの周面にローレットを刻設すること、または相互に噛み合う山部、谷部を刻設したスプライン軸継手や多角軸継手、或いはクラッチ機構等を用いることができ、突条と凹条の結合に限定されない。
【００２７】
また、係合筒１２に設けた凸部１８を環状膨出突条とし、上壁１０下面に係合するようにしてもよく、操作部材の係合筒と、キャップ係合部材の係合筒を定位置に位置決めできるものであればとくに限定されない。
【産業上の利用可能性】
【００２８】
本発明の開封器具は、操作部材とキャップ係合筒を穿設したキャップ係合部材を、相互に廻動可能、上下動可能として結合したことにより、径、形状の異なるキャップに対応できるキャップ開封具として、広く利用できるようになった。
【図面の簡単な説明】
【００２９】
【図１】本発明キャップ開封器具の分解説明図である。
【図２】キャップ開封器具の説明図で、（ａ）は上面図、（ｂ）は断面立面図、（ｃ）は底面図である。
【図３】大径キャップ係合孔の使用時の説明図である。
【図４】係合孔使用時の説明図で、（ａ）は小径キャップ係合孔の嵌合時、（ｂ）は中径キャップ係合孔の嵌合時、（ｃ）は最小径キャップ係合孔の嵌合時である。
【符号の説明】
【００３０】
Ａ          操作部材
Ｂ          キャップ係合部材
Ｃ１        大径キャップ
Ｃ２        中径キャップ
Ｃ３        最小径キャップ
Ｃ４        小径キャップ
１、１４    嵌挿筒
２          連結壁
３          回転操作筒
４          下壁
５、１２    係合筒
６、８、９  突条
７          大径キャップ係合孔
１０、１３  上壁
１１        凹部
１２        係合筒
１５        小径キャップ係合孔
１６        最小径キャップ係合孔
１７        中径キャップ係合孔
１８        凸部
１９        係止突条
２０        凹条
【図１】
2006306456.tif 000003
【図２】
2006306456.tif 000004
【図３】
2006306456.tif 000005
【図４】
2006306456.tif 000006